(57)【要約】【課題】高い顧客吸引力を発揮する商品陳列具を提供すること。【解決手段】下部に商品の陳列部１ａ，１ｂが設けられた陳列具本体１と、陳列具本体１の上部に組み込まれた映像及び音声再生装置２と、陳列具本体１の底部に装着して陳列具本体１を設置するための保持具３とを備え、映像及び音声再生装置２は、陳列具本体１にて陳列される商品の広告を音声と動画により再生するようになっている。陳列具本体１の底側にある保持具３を使って、棚板、レジカウンターテーブルなどの様々な平面に設置できるので、商品と広告が一緒になった状態で希望する場所にて販売することができる。映像及び音声再生装置２から再生される動画である広告表示と、その下側に陳列された商品パッケージによる静止画と、映像及び音声再生装置２から再生される音声により、商品広告の相乗効果が生み出され、高い顧客吸引力を発揮できる。【選択図】図１
2006094890.tif 000002
【特許請求の範囲】
【請求項１】
下部に商品の陳列部が設けられた陳列具本体と、陳列具本体の上部に組み込まれた映像及び音声再生装置と、陳列具本体の底部に装着して陳列具本体を設置するための保持具とを備え、映像及び音声再生装置は、陳列具本体にて陳列される商品の広告を音声と動画により再生するようになっていることを特徴とする商品陳列具。
【発明の詳細な説明】
【技術分野】
【０００１】
本発明は、スーパーマーケット、コンビニエンスストア、ディスカウントストアなどの店頭にて商品を販売するために用いられる商品陳列具に関する。
【背景技術】
【０００２】
一般に、このような販売店の店頭にて商品の販売を行う場合、通路や壁に一段もしくは多段の棚を構築し、その棚の上に商品を並べて陳列するとともに、各商品群の前面にそれぞれの価格を表示するようになっている。すなわち、棚自体を商品陳列具として機能させている。そして、新商品や特売品などにあっては、目立つ印刷物（看板）を棚の前面に掲げて当該商品の広告をすることが行われている。また、最近では、特に販促強化を狙った場合、液晶テレビを使った広告表示体が使用されている。
【特許文献１】特許第２９２１３６１号公報
【発明の開示】
【発明が解決しようとする課題】
【０００３】
上記の液晶テレビを使った広告表示体は、映像と音声による広告表示を利用することにより、大きな広告効果が得られるという利点がある。ところが、商品を設置した棚の前面に取り付ける必要があるため、商品自体が目立つところに位置取りできないと、広告効果が半減するという問題がある。また、回りの商品の看板が賑やかな場合は特にそうであるが、広告表示体が棚の一部となってしまって目立たたないということもある。そして、商品が並んだ棚の前に取り付けるものであって、商品との一体感がないことから、特に新商品の販売に際しては、顧客吸引力に欠けるという問題点がある。
【０００４】
本発明は、このような事情に鑑みてなされたものであり、その目的とするところは、高い顧客吸引力を発揮する商品陳列具を提供することにある。
【課題を解決するための手段】
【０００５】
上記の目的を達成するため、本発明の商品陳列具は、下部に商品の陳列部が設けられた陳列具本体と、陳列具本体の上部に組み込まれた映像及び音声再生装置と、陳列具本体の底部に装着して陳列具本体を設置するための保持具とを備え、映像及び音声再生装置は、陳列具本体にて陳列される商品の広告を音声と動画により再生するようになっていることを特徴としている。
【発明の効果】
【０００６】
本発明の商品陳列具は、陳列具本体の底側にある保持具を使って、棚板、レジカウンターテーブルなどの様々な平面に設置できるので、商品と広告が一緒になった状態で希望する場所にて販売することができる。そして、映像及び音声再生装置から再生される動画である広告表示と、その下側に陳列された商品パッケージによる静止画と、映像及び音声再生装置から再生される音声により、商品広告の相乗効果が生み出され、高い顧客吸引力を発揮することができる。
【０００７】
また、広告を希望する商品が映像及び音声再生装置の下側に陳列されており、しかも、この陳列兼広告の組合せを様々な平面に設置できるので、レジの手前側のテーブル上に設置することにより、レジ待ちの買い物客にさらに商品を買って貰えるといった、販売が効果的に行える場所に適宜商品を陳列し併せて宣伝もできる。
【発明を実施するための最良の形態】
【０００８】
図１は本発明に係る商品陳列具の一例を示す斜視図、図２は図１に示す商品陳列具を離間状態で示す斜視図、図３は商品陳列具の使用状態を示す説明図である。
【０００９】
商品陳列具Ａは、下部に商品の陳列部が設けられた陳列具本体１と、陳列具本体１の上部に組み込まれた映像及び音声再生装置２と、陳列具本体１の底部に装着して陳列具本体１を設置するための保持具３とを備えている。図示の例では、陳列具本体１は、板紙、段ボール、樹脂等の素材で作製され、下側が広がった縦長のボックス状であって、その下部には前面が空いた上下２段の陳列部１ａ，１ｂが設けられ、上部には映像及び音声再生装置２が内蔵されている。また、保持具３は、陳列具本体１と同様の素材で作製され、上方が開放したトレー状であって、その前後幅は陳列具本体１の底部より広く、図１の組合せ状態では陳列具本体１の前側に所定幅の隙間３ａが形成されるようになっている。このように保持具３のサイズを大きくすることで、前方の隙間３ａを商品の陳列部として利用することができる。
【００１０】
映像及び音声再生装置２は、画像表示部２ａと音声出力部２ｂとを備えている。このうち画像表示部２ａは、液晶パネル、ＣＲＴ、プラズマディスプレイパネル等の表示装置で構成されており、その画面が上部右側の窓枠に露出した状態で陳列具本体１に組み込まれている。また、この画像表示部２ａに隣接して、陳列具本体１の上部左側にはスピーカー等の音声出力部２ｂが内蔵されている。そして、画像表示部２ａと音声出力部２ｂの後側にはこれらを作動させる機構が内蔵されている。なお、映像及び音声再生装置２を作動させるための電力は電池でも可能であるが、通常は店頭の配線から電気をとるようになっており、図ではそのための電源用コードの表示を省略している。
【００１１】
本発明の商品陳列具Ａは、例えば図３に示すように、陳列具本体１の陳列部１ａ，１ｂに商品Ｓを収納するとともに、保持具３の隙間３ａにも商品Ｓを収納して、レジカウンターテーブル上に設置する。そして、形状的には底部が広くなっているので、安定して設置することができる。設置場所としては、図示のレジカウンターのような人が多く通る場所や、あるいは目立つ位置にある棚板の上などが好適である。この場合、トレー状の保持具３を使って設置することを考えると、テーブルや棚板のような水平なところが簡単に設置できて都合がよい。もし、商品陳列具Ａを設置したい場所が平面でない場合は、適宜の手段で平らな面を設けるようにすればよい。また、キャスター付き等の適宜の台を準備してその上に載置するようにしてもよい。
【００１２】
そして、商品陳列具Ａをレジカウンターテーブルなどの上に設置した状態で、映像及び音声再生装置２を作動させ、陳列部１ａ，１ｂに陳列した商品Ｓの広告を音声と動画により再生する。この場合、無線もしくは有線による信号に基づいて商品Ｓの広告表示を行うようにすることもできるし、商品Ｓの広告内容を記憶させた記録媒体を収納しておき、その情報を再生することもできる。
【００１３】
このように、商品を収納した商品陳列具Ａをその保持具３を用いてレジカウンターテーブルなどの上に設置することで商品自体を目立たせることができるとともに、商品を訴求する映像を表示すると同時にスピーカーを用いて音声情報も提供することにより、大きな広告宣伝効果を得ることができる。
【００１４】
以上、一つの例を挙げて本発明の実施の形態について説明してきたが、本発明による商品陳列具は、上記実施の形態に何ら限定されるものではなく、本発明の趣旨を逸脱しない範囲において種々の変更が可能であることは言うまでもないことである。
【図面の簡単な説明】
【００１５】
【図１】本発明に係る商品陳列具の一例を示す斜視図である。
【図２】図１に示す商品陳列具を離間状態で示す斜視図である。
【図３】商品陳列具の使用状態を示す説明図である。
【符号の説明】
【００１６】
Ａ  商品陳列具
Ｓ  商品
１  陳列具本体
１ａ，１ｂ  陳列部
２  映像及び音声再生装置
２ａ  画像表示部
２ｂ  音声出力部
３  保持具
３ａ  隙間
【図１】
2006094890.tif 000003
【図２】
2006094890.tif 000004
【図３】
2006094890.tif 000005